(57)【要約】【課題】糸通し装置を備えるものにあって、ユーザが上糸の糸掛け作業を行う際に、上糸を糸保持部に確実に保持させ、しかもそのための構成を比較的簡単にする。【解決手段】糸通し装置１１により縫針７の目孔に対する上糸Ｔの糸通し動作を行わせるにあたっては、ユーザは、上糸駒から引き出した上糸Ｔを、糸調子装置や天秤を通した後、針棒６の針棒糸案内２１を通し、糸通し機構部２４の糸案内部材２６に引掛け、糸保持部２７のガイド板３４と糸保持皿３５との間を通し、最後に通過抵抗付与機構３８の糸通し溝を通して、その先端の余分な部分を糸切断部材により切断除去する。通過抵抗付与機構３８は、糸通し溝内に、凸部を有するカバー３９、テンション皿及びコイルばねを備え、上糸Ｔが通過される際に該上糸Ｔに所定の抵抗を付与し、以て、上糸Ｔが糸保持部２７の糸保持皿３５の内周側まで入り込むようになる。【選択図】図５
2010124938.tif 000002
【特許請求の範囲】
【請求項１】
ミシン頭部に、上糸供給源から引出され所定の糸掛け経路に沿ってセットされた上糸を、針棒の下端部に装着された縫針の目孔に通すための糸通し装置を備えると共に、
前記ミシン頭部の外面を覆う面板に、前記糸掛け経路を通した後の上糸の先端部を、糸通しに適切な長さとなるように切断するための糸切断部材を備え、
ユーザにより、前記糸掛け経路に沿って順に前記上糸の糸掛けが行われた後に、前記糸切断部材を用いてその先端を切断する準備操作が行われた状態で、前記糸通し装置による糸通し動作を可能としたミシンであって、
前記糸掛け経路には、前記上糸を糸保持皿によって挟んで保持する糸保持部が設けられており、前記ユーザによる糸掛けの操作には、前記糸保持部の糸保持皿の外周側から内周側に向けて前記上糸の途中部を差込むように通すことが含まれていると共に、
前記糸掛け経路上における前記糸保持部よりも下流で且つ前記糸切断部材よりも上流に位置して、前記上糸が通過される際に該上糸に所定の抵抗を付与して前記糸保持部の糸保持皿の内周側まで入り込ませるための通過抵抗付与手段が設けられていることを特徴とするミシン。
【請求項２】
前記通過抵抗付与手段は、前記面板の前記糸切断部材の近傍に位置して設けられていることを特徴とする請求項１記載のミシン。
【請求項３】
前記通過抵抗付与手段は、前記ミシン頭部に設けられた固定部材と、この固定部材に対して接離方向に変位可能に設けられた可動部材と、この可動部材を前記固定部材に対して圧接する方向に付勢する付勢部材とを備え、前記固定部材と前記可動部材との間を前記上糸が通過されるように構成されていることを特徴とする請求項１又は２記載のミシン。
【請求項４】
前記通過抵抗付与手段は、前記ミシン頭部に設けられた固定部材と、この固定部材に対して弾性的に圧接する弾性部材とを備え、前記固定部材と前記弾性部材との間を前記上糸が通過されるように構成されていることを特徴とする請求項１又は２記載のミシン。
【請求項５】
前記通過抵抗付与手段は、前記ミシン頭部に設けられ、前記上糸が差込まれることにより、該上糸を屈曲させながら通過させるジグザグ状の溝から構成されていることを特徴とする請求項１又は２記載のミシン。
【発明の詳細な説明】
【技術分野】
【０００１】
本発明は、ミシン頭部に、上糸供給源からの上糸を、針棒の下端部に装着された縫針の目孔に通すための糸通し装置を備えるミシンに関する。
【背景技術】
【０００２】
従来より、糸通し装置を備えたミシンとして、例えば特許文献１に記載された構成のものが知られている。前記糸通し装置は、針棒の近傍（左側）に位置して上下動及び回動可能に設けられた糸通し軸、この糸通し軸の下端部に設けられた糸通しフック、糸通し軸の下端部に設けられ上糸が掛けられる糸案内部材、この糸案内部材の左方に設けられた糸把持部、前記糸通しフックを水平方向に回動させる回動機構、ユーザの操作レバーの操作に基づいて前記糸通し軸を上下動させる昇降機構等を備えて構成されている。
【０００３】
前記糸把持部は、皿支持片と、その下面側に配置された押さえ皿と、この押さえ皿を上方（皿支持片側）に付勢するコイルバネを備えて構成されており、皿支持片と押さえ皿との間で上糸を挟んで保持するようになっている。また、ミシン頭部の面板の左側面には、糸掛け経路を通された上糸の先端部を、糸通し後に縫製を開始するに適切な長さとなるように切断するための糸切断部が設けられている。この糸切断部は、上糸が通される溝の奥部に上糸を切断するカッターを備えて構成されている。
【０００４】
この糸通し装置を用いて糸通し動作を実行させるにあたっては、ユーザは、その準備操作として、上糸のセット（糸掛け）の作業を行う。この上糸のセット作業は、上糸供給源（糸駒）から上糸を引出しながら、その上糸を糸調子装置及び天秤を通し、針棒の糸案内に掛けた後、糸案内部材に掛け、さらに糸把持部に保持させ、最後に、上糸の先端部を糸切断部で切断することにより行われる。このとき、糸把持部に上糸を保持させるには、上糸の途中部を、皿支持片と押さえ皿との間に差込むように通す作業が行われる。
【０００５】
そして、上記した上糸のセット状態から、ユーザが、ミシン本体の頭部の側面部に設けられた操作レバーを押下げ操作することにより、糸通し軸等が針棒に対して下降して行き、所定位置まで下降すると今度は回動機構により糸通しフックが回動して縫針の目孔に通され、糸案内部材によって緊張状態に保持された上糸を引掛けて捕捉する。次いで、ユーザが操作レバーの押下げ力を解除すると、糸通しフックが反対方向に戻り回動して、目孔から抜出ることにより、糸通しフックにより捕捉した上糸が目孔を通される。その後、糸通し軸等が上昇して元の待機位置に戻るようになる。
【特許文献１】特開平９−９９１９２号公報
【発明の開示】
【発明が解決しようとする課題】
【０００６】
ところで、上記した糸通し装置の動作において、糸通しフックによる上糸の捕捉を確実に行なうためには、糸案内部材において上糸が緩むことなくピンと張った状態に保持される必要がある。そのため、ユーザが、糸掛けの操作時に、糸把持部の皿支持片と押さえ皿との間の内周側まで上糸を入り込ませるようにして、上糸を確実に挟持させる必要がある。
【０００７】
そこで、上記した特許文献１では、ユーザによる糸掛け操作時（待機位置）には、ミシンカバー下部が押さえ皿に係合してコイルバネのばね力に抗して皿支持片に対し開放させ、皿支持片との間に隙間ができるようにして、ユーザによる上糸を差込む（セットする）作業を容易とし、糸通し動作時（糸把持部の下降時）には、ミシンカバー下部と押さえ皿との係合が解除され、皿支持片と押さえ皿との間に上糸を挟持させるようにしている。
【０００８】
しかしながら、皿支持片と押さえ皿との間に隙間を形成することは、上糸が入れ易いものであると同時に出易いものともなっており、ユーザによる糸掛け作業時において、糸把持部（皿支持片と押さえ皿との間）に上糸を通した後、糸切断部で上糸を切断した際に、ユーザが意図せずに糸把持部の上糸が緩んでしまう場合があり、ひいては糸把持部から上糸が外れて、糸通し動作が失敗してしまう虞があった。また、ミシンカバー下部と押さえ皿とを係合させることで、押さえ皿を皿支持片に対して開放させる構成を採用するため、構造（部品形状等）が比較的複雑であった。
【０００９】
本発明は上記事情に鑑みてなされたもので、その目的は、糸通し装置を備えるものにあって、ユーザが糸掛け経路に沿って上糸の糸掛け作業を行う準備操作において、上糸を糸保持部に確実に保持させることができ、しかもそのための構成を比較的簡単にすることができるミシンを提供するにある。
【課題を解決するための手段】
【００１０】
上記目的を達成するために、本発明の請求項１のミシンは、ミシン頭部に、上糸供給源から引出され所定の糸掛け経路に沿ってセットされた上糸を、針棒の下端部に装着された縫針の目孔に通すための糸通し装置を備えると共に、前記ミシン頭部の外面を覆う面板に、前記糸掛け経路を通した後の上糸の先端部を、糸通しに適切な長さとなるように切断するための糸切断部材を備え、ユーザにより、前記糸掛け経路に沿って順に前記上糸の糸掛けが行われた後に、前記糸切断部材を用いてその先端を切断する準備操作が行われた状態で、前記糸通し装置による糸通し動作を可能としたミシンであって、前記糸掛け経路には、前記上糸を糸保持皿によって挟んで保持する糸保持部が設けられており、前記ユーザによる糸掛けの操作には、前記糸保持部の糸保持皿の外周側から内周側に向けて前記上糸の途中部を差込むように通すことが含まれていると共に、前記糸掛け経路上における前記糸保持部よりも下流で且つ前記糸切断部材よりも上流に位置して、前記上糸が通過される際に該上糸に所定の抵抗を付与して前記糸保持部の糸保持皿の内周側まで入り込ませるための通過抵抗付与手段が設けられているところに特徴を有する。
【００１１】
上記構成によれば、ユーザが、糸掛け経路に沿って順に上糸の糸掛けを行った後に、糸切断部材を用いてその先端を切断することにより、糸通しの準備操作が完了し、その状態で、糸通し装置による糸通し動作が可能となる。このとき、上記糸掛けの操作には、糸保持部の糸保持皿の外周側から内周側に向けて上糸の途中部を差込むように通すことが含まれており、もし、その際の上糸の糸保持皿への差込みが不十分であると、上糸が糸保持部から外れてしまう虞がある。ところが、その糸保持部を通した後であって糸切断部材を用いた糸切断操作の前に、ユーザが、上糸を、通過抵抗付与手段を通過させるようにすると、上糸に抵抗が付与されて糸保持部の糸保持皿の内周側まで入り込むようになるので、上糸が糸保持部に確実に保持されるようになる。
【００１２】
請求項２のミシンは、請求項１の発明において、前記通過抵抗付与手段を、前記面板の前記糸切断部材の近傍に位置して設けたところに特徴を有する。
請求項３のミシンは、請求項１又は２の発明において、前記通過抵抗付与手段を、前記ミシン頭部に設けられた固定部材と、この固定部材に対して接離方向に変位可能に設けられた可動部材と、この可動部材を前記固定部材に対して圧接する方向に付勢する付勢部材とを備え、前記固定部材と前記可動部材との間を前記上糸が通過されるように構成したところに特徴を有する。
【００１３】
請求項４のミシンは、請求項１又は２の発明において、前記通過抵抗付与手段を、前記ミシン頭部に設けられた固定部材と、この固定部材に対して弾性的に圧接する弾性部材とを備え、前記固定部材と前記弾性部材との間を前記上糸が通過されるように構成したところに特徴を有する。
【００１４】
請求項５のミシンは、請求項１又は２の発明において、前記通過抵抗付与手段を、前記ミシン頭部に設けられ、前記上糸が差込まれることにより、該上糸を屈曲させながら通過させるジグザグ状の溝から構成したところに特徴を有する。
【発明の効果】
【００１５】
請求項１のミシンによれば、糸通し装置を備えるものにあって、糸掛け経路上における糸保持部よりも下流で且つ糸切断部材よりも上流に位置して、上糸が通過される際に該上糸に所定の抵抗を付与して前記糸保持部の糸保持皿の内周側まで入り込ませるための通過抵抗付与手段を設けたので、ユーザが糸掛け経路に沿って上糸の糸掛け作業を行う準備操作において、上糸を糸保持部に確実に保持させることができる。しかも、そのために、通過抵抗付与手段を設けるだけで、糸保持皿を開閉させる構成は不要となるので、構成を比較的簡単にすることができる。
【００１６】
請求項２のミシンによれば、請求項１に記載の発明の効果に加え、通過抵抗付与手段が糸切断部材の近傍に配置されているので、通過抵抗付与手段をコンパクトに配置することができ、これと共に、通過抵抗付与手段を通過させた後すぐに上糸を切断することができるので、ユーザが操作しやすく、また、ユーザの通過抵抗付与手段に対する上糸の通し忘れを防止する効果に優れるものとなる。
【００１７】
請求項３のミシンによれば、請求項１又は２に記載の発明の効果に加え、固定部材と、可動部材と、付勢部材とから通過抵抗付与手段を構成したので、固定部材と可動部材との間を、上糸を通過させることによって、上糸に対し所定の抵抗を確実に付与することが可能となる。
【００１８】
請求項４のミシンによれば、請求項１又は２に記載の発明の効果に加え、固定部材と弾性部材とから通過抵抗付与手段を構成したので、通過抵抗付与手段の構成を、より少ない部品点数で簡単にすることができる。
【００１９】
請求項５のミシンによれば、請求項１又は２に記載の発明の効果に加え、ジグザグ状の溝から通過抵抗付与手段を構成したので、通過抵抗付与手段の構成を、より少ない部品点数で一層簡単にすることができる。
【発明を実施するための最良の形態】
【００２０】
（１）第１の実施形態
以下、本発明を、例えば家庭用の電子ミシンに適用した第１の実施形態について、図１ないし図７を参照しながら説明する。図１は、本実施形態に係るミシンの全体の外観を、正面（ユーザ側）から見た様子を示している。尚、以下の説明では、ミシンを操作するユーザ側を前方とし、前後方向をＹ方向（図６、図７参照）、左右方向をＸ方向（図１、図２参照）として説明する。ミシン本体１は、左右方向（Ｘ方向）に延びるミシンベッド２と、このミシンベッド２の右端部から上方に延びる脚柱部３と、この脚柱部３の上端から図で左方に延びるアーム部４とを一体的に有して構成されている。アーム部４の先端部が、ミシン頭部５とされている。
【００２１】
また、前記アーム部４の上部には、カバー４ａが開閉可能に設けられている。図示はしないが、アーム部４には、前記カバー４ａの内側に位置して、上糸供給源としての上糸駒が着脱可能にセットされる糸駒収容部が設けられており、カバー４ａを開いた状態で、上糸駒の着脱（交換）の作業が行われるようになっている。前記ミシン頭部５には、その正面左側から側面部を覆うように、プラスチック製の面板５ａが設けられている。
【００２２】
図２、図５にも示すように、前記ミシン頭部５には、針棒６が設けられている。この針棒６の下端部には、縫針７が針抱き８を介して装着されている。前記針棒６は、図２に示すように、前記ミシン機枠に対して左右方向（Ｘ方向）に揺動可能に取付けられた針棒台９に、上下動可能に支持されている。また、前記ミシン頭部５には、図１に示すように、針棒６（縫針７）の下方に位置して押え足１０が設けられている。さらに、針棒６（縫針７）の左側には、本実施形態に係る糸通し装置１１が設けられる。この糸通し装置１１は、図３に示すように、前記上糸駒からの上糸Ｔを、前記縫針７の目孔７ａに通すためのものであり、その詳細については後述する。
【００２３】
また、図２に一部示すように、前記アーム部４内には、ミシンモータ（図示せず）により回転駆動されるミシン主軸１２が設けられ、ミシン頭部５内には、そのミシン主軸１２の駆動力により前記針棒６を上下動させる針棒駆動機構１３が設けられている。この針棒駆動機構１３は、ミシン主軸１２の先端部に連結された針棒クランク１４や、この針棒クランク１４の先端に回転可能に連結されたクランクロッド１５、このクランクロッド１５と針棒６とを連結する針棒抱き１６等から構成されている。
【００２４】
さらに、図示及び詳しい説明は省略するが、前記ミシン頭部５内には、針振りパルスモータを駆動源として前記針棒台９ひいては針棒６を布送り方向（前後方向であるＹ方向）と直交する方向（Ｘ方向）に揺動させる針棒揺動機構、針棒６の上下動に同期して天秤を上下動させる天秤駆動機構、上糸Ｔの張力を調整する糸調子装置等が設けられている。
【００２５】
図１に示すように、アーム部４の前面側には、縫製作業の起動と停止を指令する起動・停止スイッチ１７やスピード調整つまみ１８などの各種の操作キー（スイッチ）が設けられている。前記脚柱部３の前面には、大型で縦長形状をなしフルカラー表示が可能な液晶ディスプレイ１９が設けられている。この液晶ディスプレイ１９の表面にはタッチパネルが設けられている。
【００２６】
詳しく図示はしないが、前記液晶ディスプレイ１９には、直線縫いやジグザグ縫い等の各種の実用模様を選択する画面や、各種の刺繍模様を選択する画面、各種機能を実行させるための機能選択画面、各種のメッセージ等が表示されるようになっている。このとき、タッチパネル上には、各種の入力操作キーが設定されるようになっている。
【００２７】
前記ミシンベッド２の上面には、針板（図示せず）が設けられている。図示はしないが、ミシンベッド２内には、その針板の下側に位置して、前記針棒６の上下動と同期して送り歯を駆動させる送り歯駆動機構、下糸ボビンを収容し縫針７と協働して縫目を形成する全回転釜、糸切り機構等が設けられている。
【００２８】
ここで、前記糸通し装置１１及びその周辺部分について説明する。図２に示すように、前記針棒６は、針棒台９に上下動可能に挿通支持され、前記針棒駆動機構１３により、所定のストロークで上下動されるようになっている。このとき、縫製動作（ミシンモータ）の停止時には、針棒６は、図２に示す所定の上昇位置（針上位置）に停止されるようになっている。また、針棒６の前記針棒抱き１６の連結部分のすぐ上部には、左方に突出する突出片２０ａを有する位置決め部材２０が取付けられている。尚、針棒６の下端部には、針棒糸案内２１が設けられている。
【００２９】
そして、糸通し装置１１は、針棒台９に、針棒６の左側に位置して組込まれ、図２、図５に示すように、第１，第２の２本の糸通し軸２２，２３、これら第１，第２の糸通し軸２２，２３の下端部に設けられた糸通し機構部２４、第１の糸通し軸２２を回動させるための回動機構（図示せず）等を備えている。前記糸通し機構部２４は、前記第１の糸通し軸２２の下端部に設けられた糸通しフック２５（図３参照）及び糸案内部材２６、前記第２の糸通し軸２３の下端部に位置して設けられた糸保持部２７等から構成される。
【００３０】
図２に示すように、前記第１の糸通し軸２２は、針棒６のすぐ左側を上下方向に延び、針棒台９に上下動及び回動（同軸回転）可能に支持されている。前記第２の糸通し軸２３は、該第１の糸通し軸２２のすぐ左側に位置して針棒台９に上下動可能に支持されている。この第２の糸通し軸２３は、図示しない第１圧縮コイルばねによって、針棒台９に対し常に上方（上端の準備位置）に向けて付勢されている。また、これら第１及び第２の糸通し軸２２及び２３は、上端の位置を合わせた状態で、一体的に上下動するようになっている。また、面板５ａには、第２の糸通し軸２３から少し離れた左側に上下方向に延びて、糸通しレバー２８をガイドするためのガイド軸２９が固定的に設けられている。
【００３１】
以下、図示はしないが、前記第１の糸通し軸２２及び第２の糸通し軸２３の上端部には、それら双方に跨るように、糸通しスライダが上下動可能に挿通されている。この糸通しスライダは、前記第１の糸通し軸２２の上部の左半部を囲む半円筒状の壁部を有しており、その壁部に斜め方向に延びるカム溝が形成されている。これに対し、第１の糸通し軸２２の上部部位には、水平方向に延びる摺動ピンが貫通するように設けられており、その摺動ピンが前記カム溝に挿通され、もって回動機構が構成されている。第１の糸通し軸２２には、前記摺動ピンの下方に設けられたばね受けピンと、前記糸通しスライダの下端部との間に、第２圧縮コイルばねが設けられている。
【００３２】
前記ガイド軸２９には、前記第１，第２の糸通し軸２２，２３を上下動させるための糸通しレバー２８が上下動可能に嵌挿されている。前記糸通しレバー２８は、図で左方に延び操作つまみ２８ａを有していると共に、図で右方に延びるレバー板２８ｂを有して構成されている。図６にも示すように、操作つまみ２８ａは、前記面板５ａに形成された上下方向に長いスリット５ｂを通して、前記ミシン頭部５の側面部に操作可能に配置されている。レバー板２８ｂは、前記糸通しスライダに係合し、該糸通しスライダを上下動させるようになっている。
【００３３】
これにて、糸通しレバー２８に対して下方への押下げ力が作用していない状態では、図２、図５に示すように、糸通しレバー２８がガイド軸２９の上端に位置しており、第１圧縮コイルばねによって、糸通しスライダ及び第１，第２の糸通し軸２２，２３も、針棒台９に対して最上位置に位置されている。この位置が、第１，第２の糸通し軸２２，２３の下端に設けられる糸通し機構部２４（糸通しフック２５及び糸案内部材２６等）が、針棒６の下端部近傍に位置し、後述する準備操作（ユーザによる上糸Ｔの糸掛け操作）などが行われる準備位置とされる。
【００３４】
そして、この準備位置から、第１圧縮コイルばねのばね力に抗して、糸通しレバー２８ひいては第１，第２の糸通し軸２２，２３、糸通し機構部２４が下降されていくと、所定距離だけ下降された位置にて、第１の糸通し軸２２に設けられた摺動ピンが、針棒６に設けられた位置決め部材２０の突出片２０ａに係合し、第１の糸通し軸２２等のそれ以上の下降が規制される。この位置が、糸通し動作位置とされ、この糸通し動作位置にて前記糸通しフック２５の高さ位置が縫針７の目孔７ａの高さと一致し、糸通し動作が可能となる。
【００３５】
このとき、糸通し動作時においては、糸通しレバー２８が所定距離だけ下降された位置から更に押下げられるようになっている。この糸通しレバー２８の下降により、糸通しスライダが、第１圧縮コイルばね及び第２圧縮コイルばねのばね力に抗して、第１，第２の糸通し軸２２，２３に対して更に下降する。これにより、糸通しスライダのカム溝内を、第１の糸通し軸２２の摺動ピンが斜め方向に相対的に上昇し、以て、回動機構により第１の糸通し軸２２ひいては糸通しフック２５等が上面から見て時計回り方向に回動され、糸通し動作が行われるようになっている。
【００３６】
また、この後、糸通しレバー２８に対する押下げ力が解除されると、第１圧縮コイルばね及び第２圧縮コイルばねのばね力により、糸通しレバー２８ひいては糸通しスライダが第１，第２の糸通し軸２２，２２に対して上昇し、この際、糸通しスライダのカム溝内を、第１の糸通し軸２２の摺動ピンが相対的に下降することにより、第１の糸通し軸２２ひいては糸通しフック２５等が戻り方向に回動される。その後、糸通しレバー２８が上記所定距離だけ上昇され、第１，第２の糸通し軸２２，２３や糸通し機構部２４も上昇され、準備位置に戻される。
【００３７】
詳しい説明は省略するが、前記糸通し機構部２４に設けられる糸通しフック２５は、図３に示すように、先端に下向きのフック部２５ａを有しており、前記縫針７の目孔７ａに対し挿通可能なものとされている。そして、第１の糸通し軸２２の下端部には、その糸通しフック２５の両側に位置するガイド部材３０，３０や、糸保持ワイヤ３１も設けられている。また、詳しく図示はしないが、第１の糸通し軸２２の下端部に設けられた糸案内部材２６は、糸通し動作時（第１の糸通し軸２２の回動時）に、図３（ａ）に示すように、縫針７の目孔７ａの前方において上糸Ｔを水平状態に保持する機能を果たすようになっている。
【００３８】
また、第２の糸通し軸２３の下端部に設けられた糸保持部２７は、上糸Ｔの先端部分を保持するためのもので、図４に示す構成を備えている。即ち、第２の糸通し軸２３の下端部にリンクガイド部材３２が取付けられており、そのリンクガイド部材３２には、下方に延びるピン３３の上端部が取付けられている。ピン３３の下端部には、ガイド板３４が取付けられている。さらに前記ピン３３の途中部には、前記ガイド板３４との間で上糸Ｔを挟んで保持するための糸保持皿３５が上下動可能に嵌挿されており、その糸保持皿３５は、リンクガイド部材３２の下面との間に設けられたコイルばね３６によって、下方つまりガイド板３４に接触する方向に付勢されている。このとき、糸保持皿３５は、外周側が上方に立上るように皿状に湾曲した形状をなしていると共に、ガイド板３４の前端部には下降傾斜するテーパ面３４ａが形成されている。
【００３９】
これにて、上糸Ｔを、テーパ面３４ａにガイドさせながら、糸保持部２７のガイド板３４と糸保持皿３５との間に、糸保持皿３５の外周側から内周側に向けて（図４で矢印Ｃ方向に）、その途中部を差込む（奥まで入り込む）ように通すことにより、上糸Ｔはそれらガイド板３４と糸保持皿３５との間に挟まれ、もって糸保持部２７に保持されるようになる。尚、図６，図７に示すように、前記ミシン頭部５の面板５ａの左側面には、糸掛け経路（後述）を通した後の上糸Ｔの先端部を適切な長さとなるように切断するための糸切断部材３７が設けられている。この糸切断部材３７については後述する。
【００４０】
この場合、ユーザは、次のようにして糸通しの準備操作を行う。即ち、糸通し機構部２４が準備位置に位置されている状態において、ユーザは、上糸駒から引出され糸調子装置や天秤といった所定の上糸経路を通された上糸Ｔを、針棒６の針棒糸案内２１を通した後、糸通し機構部２４の糸案内部材２６に引掛けて保持させ、さらに糸保持部２７のガイド板３４と糸保持皿３５との間を通すようにする。その後、糸切断部材３７部分を通して、上糸Ｔの先端を切断除去する。これにて、上糸Ｔは必要な糸掛け経路に沿って順に掛けられた状態で糸保持部２７にて保持され、これと共に、最適な長さで切断され、以て、糸通しの準備が完了するようになっている。
【００４１】
そして、この状態から、ユーザの糸通しレバー２８の押下げ操作により、上記のように糸通し機構部２４が糸通し動作位置まで下降され、第１の糸通し軸２２が回動されることにより、図３（ａ）に示すように、糸通しフック２５が矢印Ａ方向に移動して縫針７の目孔７ａを通り、目孔７ａの前方で糸案内部材２６によりピンと水平に張った状態に保持された上糸Ｔをフック部２５ａにより引掛ける。
【００４２】
その後、ユーザが糸通しレバー２８の押下げ力を解除し、第１の糸通し軸２２が戻り回動されることにより、図３（ｂ）に示すように、糸通しフック３１が矢印Ｂ方向に戻り移動して上糸Ｔが糸通しフック２５と共に目孔７ａを通されて糸通しが行われるのである。尚、上記した糸通し装置１１（糸通し機構部２４）の詳細な構成や動作については、本出願人の先の出願に係る特開２００６−１５８４１２号公報に詳しい。
【００４３】
次に、上糸Ｔが通過される際に、この上糸Ｔに所定の抵抗を付与して前記糸保持部２７の糸保持皿３５の内周側まで入り込ませるための通過抵抗付与機構３８（通過抵抗付与手段）を説明する。この通過抵抗付与機構３８は、糸掛け経路上における前記糸保持部２７よりも下流で且つ前記糸切断部材３７よりも上流に位置するように設けられる。具体的には、図５〜図７に示すように、面板５ａの下辺部の前記糸切断部材３７の近傍後方に位置するように設けられる。その位置は、準備位置にある糸保持部２７よりも左奥側でやや上方の位置である。そして、この通過抵抗付与機構３８は、糸切断部材３７と共に一つのユニットとして構成される。
【００４４】
即ち、この通過抵抗付与機構３８は、前記面板５ａの外面にプラスチック製のカバー３９を取付けると共に、そのカバー３９の内面側に、可動部材としてのテンション皿４０及び付勢部材としてのコイルばね４１を設けて構成される。図６、図７に示すように、前記カバー３９は、前後（Ｙ方向）に細長い長円状をなし、その前端側が、面板５ａに対してねじ４３により取付けられている。このとき、カバー３９の内面と面板５ａの外面との間には、前端部を除いて上糸Ｔが通過可能な隙間が形成されており、以て、カバー３９の後端側で開口し且つ上下方向に貫通する糸通し溝４２が形成されている。
【００４５】
図７に示すように、前記カバー３９と面板５ａとの間には、前記糸通し溝４２に連続する空間部に位置して、前記糸切断部材３７が、ほぼ水平状態で且つ刃部３７ａを後ろ向きにして配設されている。これにて、上記した糸通しの準備操作において、ユーザが上糸Ｔを糸保持部２７を通した上で、図６（ａ）に示すように、上糸Ｔの先端部を、通過抵抗付与機構３８（カバー３９）の後方上部まで持っていき、その後、糸通し溝４２を通すように前方（矢印Ｄ方向）に移動させることにより、上糸Ｔが糸通し溝４２を通って前方に移動し、糸切断部材３７により切断されるようになるのである。糸切断部材３７（刃部３７ａ）はカバー３９により覆われているので、安全性が確保される。
【００４６】
そして、図７に示すように、前記カバー３９の前後方向（Ｙ方向）中間部には、裏面側に若干量だけ凸となるように円形の凸部３９ａが形成されており、この凸部３９ａが固定部材として機能する。前記テンション皿４０は、前記凸部３９ａに面接触可能な平坦な円形面を有すると共に、その円形面の外周に連続するようにテーパ面を有して構成され、前記面板５ａに、前記凸部３９ａに対して接離方向（図７で上下方向）に移動可能に保持されている。このとき、面板５ａとテンション皿４０との間に、前記コイルばね４１が配設され、テンション皿４０を凸部３９ａに対して常に圧接する方向に付勢している。
【００４７】
これにて、ユーザが上記のような糸切断部材３７により上糸Ｔの先端部を切断する操作を行うと、上糸Ｔが糸通し溝４２を前方に向けて通される際に、必然的に、上糸Ｔが凸部３９ａとテンション皿４０との間を通過されるようになり、上糸Ｔに所定の抵抗（テンション）が付与されるようになっている。そして、抵抗が付与されることによって、上糸Ｔには、糸保持部２７のガイド板３４と糸保持皿３５との間に、矢印Ｃ方向に入り込んでいく力が作用するようになるのである。
【００４８】
次に、上記構成の作用について述べる。糸通し装置１１により縫針７の目孔７ａに対する上糸Ｔの糸通し動作を行わせるにあたっては、ユーザは、まず糸通しの準備操作を行う。この準備操作は、上述のように、ユーザが、上糸供給源（上糸駒）から引き出された上糸Ｔの先端を手指でつまみ、上糸Ｔを順繰りに引き出しながら、所定の糸掛け経路に沿って順に糸掛けを行い、最後に通過抵抗付与機構３８の糸通し溝４２を通して、その先端の余分な部分を糸切断部材３７により切断除去することにより行われる。
【００４９】
即ち、上糸駒から引出された上糸Ｔは、糸調子装置や天秤といった所定の経路を通され、その後、図５に示すように、針棒６の針棒糸案内２１を通された後、糸通し機構部２４の糸案内部材２６に引掛けられ、ガイド板３４と糸保持皿３５との間を通されて糸保持部２７にて保持される。またこのとき、上糸Ｔは最適な長さで切断されており、以て、糸通しの準備が完了する。
【００５０】
これにより、糸通し動作の実行が可能となり、引き続き、ユーザが糸通しレバー２８（操作つまみ２８ａ）を押下げると、糸通し機構部２４が糸通し動作位置まで下降され、さらに、図３に示すように、回動機構により糸通しフック２５が矢印Ａ方向及びＢ方向に往復回動され、糸通し動作が実行される。この後、ユーザが、糸通しレバー２８に対する押下げ力を解除すると、糸通し機構部２４が上昇して元の準備位置に戻る。この状態でミシン本体１の縫製動作の実行が可能となる。
【００５１】
ここで、上記した糸通しの準備操作において、もし、糸保持部２７に上糸Ｔが確実に保持されていない（糸保持皿３５の奥方まで差込まれていない）ことがあると、糸保持部２７から上糸Ｔが容易に外れてしまい、ひいては、糸通しの動作において、糸案内部材２６よって上糸Ｔがピンと張った状態とならず、上糸Ｔが緩んで糸通し動作の失敗（糸通しフック２５による上糸Ｔの捕捉の失敗）を招く虞がある。つまり、糸保持部２７のガイド板３４と糸保持皿３５との間の内周側まで上糸Ｔを入り込ませるようにして、上糸Ｔを確実に挟持させることが必要となる。
【００５２】
ところが、本実施形態では、ミシン頭部５の面板５ａの側面下部に、糸切断部材３７と共にユニット化された通過抵抗付与機構３８が設けられており、ユーザは、糸保持部２７（ガイド板３４と糸保持皿３５との間）に上糸Ｔを通した後に、その上糸Ｔを左側後方上部にもって行く。そして、図６（ａ）に実線で示すように、上糸Ｔを通過抵抗付与機構３８の後ろ側から矢印Ｄ方向に移動させ、糸通し溝４２に差込んでいく。遂には、上糸Ｔは、図６（ａ）に二点鎖線で示すように、糸切断部材３７の刃部３７ａにあたって切断が行われる。上糸Ｔの切断作業が安全に行われることは勿論である。
【００５３】
このとき、糸通し溝４２内に後方から差し込まれた上糸Ｔが、前方に移動される際に、上糸Ｔが凸部３９ａとテンション皿４０との間を通過されるようになり、その際に上糸Ｔに所定の抵抗（テンション）が付与されるようになる。これにより、上糸Ｔが、矢印Ｃ方向に糸保持部２７のガイド板３４と糸保持皿３５との間の内周側（奥）にまで入り込み、糸保持部２７に確実に保持（挟持）されるようになるのである。
【００５４】
このように本実施形態によれば、次のような優れた効果を得ることができる。即ち、縫針７の目孔７ａに対する上糸Ｔの糸通し動作を実行する糸通し装置１１を備えたものにあって、糸掛け経路上における前保持部２７よりも下流で且つ糸切断部材３７よりも上流に位置して、上糸Ｔが通過される際に該上糸Ｔに所定の抵抗を付与して糸保持部２７の糸保持皿３５の内周側まで入り込ませるための通過抵抗付与機構３８を設けたので、ユーザが糸掛け経路に沿って上糸Ｔの糸掛け作業を行う準備操作において、上糸Ｔを糸保持部２７に確実に保持させることができる。しかも、そのために、通過抵抗付与機構２８を設けるだけで、糸保持皿３５を強制的に開閉させるといった構成は不要となるので、構成を比較的簡単にすることができる。
【００５５】
また、特に本実施形態では、通過抵抗付与機構３８を糸切断部材３７の近傍に一体的に（一つのユニットとして）配置するようにしたので、通過抵抗付与機構３８及び糸切断部材３７を面板５ａにコンパクトに配置することができる。これと共に、上糸Ｔを通過抵抗付与機構３８の糸通し溝４２を通過させて抵抗を付与する動作と、上糸Ｔを切断させる動作とを、一連の動作で行うことができ、ユーザにとって操作しやすいものとすることができる。さらには、通過抵抗付与機構３８を、カバー３９（凸部３９ａ）、テンション皿４０、コイルばね４１等から構成したので、上糸Ｔに対し所定の抵抗を確実に付与することが可能となるといった利点も得ることができる。
【００５６】
（２）第２、第３の実施形態、その他の実施形態
次に、図８及び図９を参照しながら、本発明の第２の実施形態について述べる。尚、以下に述べる第２、第３の実施形態においては、糸通し装置１１を含むミシン本体１全体の基本的構成は、上記第１の実施形態と共通するので、以下、上記第１の実施形態と共通する部分については、同一符号を付して新たな図示や詳しい説明を省略し、上記第１の実施形態と相違する点について述べる。
【００５７】
この第２の実施形態が、上記第１の実施形態と異なるところは、ミシン頭部５の左側面部の面板５ａの下辺部（準備位置の糸保持部２７よりも左奥側でやや上方）に位置して設けられ、上糸Ｔが通過される際に該上糸Ｔに所定の抵抗を付与して糸保持部２７の糸保持皿３５の内周側まで入り込ませるための通過抵抗付与手段たる通過抵抗付与機構５１の構成にある。
【００５８】
即ち、通過抵抗付与機構５１は、面板５ａの外面にプラスチック製のカバー５２を取付けると共に、そのカバー５２の内面側に、付勢部材としての板ばね５３を設けて構成される。この場合、図９に示すように、カバー５２の前端側が、面板５ａに対してねじ４３により取付けられ、カバー５２の内面と面板５ａの外面との間には、前端部を除いて糸通し溝５４が設けられている。また、カバー５２と面板５ａとの間には、糸通し溝５４に連続する前端側に位置して糸切断部材３７の刃部３７ａが後ろ向きに設けられている。
【００５９】
そして、図９に示すように、前記カバー５２の前後方向（Ｙ方向）中間部には、裏面側に若干量だけ凸となる固定部材としての凸部５２ａが形成されている。前記板ばね５３は、前後方向（Ｙ方向）に長い板状をなし、前端が面板５ａに固定されると共に、その途中部が台形状に折曲されていて、自らのばね力によって前記凸部５２ａに対し常に弾性的に圧接（面接触）し、さらに後端側が傾斜する案内面となっている。
【００６０】
これにて、糸通しの準備操作において、ユーザが上糸Ｔを糸保持部２７を通した上で、図８（ａ）に示すように、上糸Ｔの先端部を、通過抵抗付与機構５１（カバー５２）の後方上部まで持っていき、その後、糸通し溝５４に上糸Ｔを差し込みながら前方（矢印Ｄ方向）に移動させることにより、上糸Ｔが凸部５２ａと板ばね５３との間を通過されるようになり、上糸Ｔに所定の抵抗（テンション）が付与されるようになっている。この抵抗が付与されることによって、上糸Ｔには、糸保持部２７のガイド板３４と糸保持皿３５との間に入り込んでいく力が作用するようになるのである。また、上糸Ｔは、凸部５２ａと板ばね５３との間を通過した後、糸切断部材３７により切断される。
【００６１】
このような第２の実施形態によれば、上記第１の実施形態と同様に、糸通し装置１１を備えたものにあって、面板５ａに通過抵抗付与機構５１を設けたので、ユーザが糸掛け経路に沿って上糸Ｔの糸掛け作業を行う準備操作において、上糸Ｔを糸保持部２７に確実に保持させることができ、しかも、そのための構成を比較的簡単にすることができるという優れた効果を得ることができる。
【００６２】
また、本実施形態においても、通過抵抗付与機構５１を糸切断部材３７の近傍に一体的に（一つのユニットとして）配置するようにしたので、通過抵抗付与機構５１及び糸切断部材３７を面板５ａにコンパクトに配置することができる。これと共に、上糸Ｔを通過抵抗付与機構５１の糸通し溝５４を通過させて抵抗を付与する動作と、上糸Ｔを切断させる動作とを、一連の動作で行うことができ、ユーザにとって操作しやすいものとなる。通過抵抗付与機構５１の部品点数を少なくすることができる利点も得ることができる。
【００６３】
図１０及び図１１は、本発明の第３の実施形態を示すものであり、やはり、通過抵抗付与手段たる通過抵抗付与機構６１の構成が、上記第１の実施形態と異なっている。即ち、通過抵抗付与機構６１は、面板５ａの外面にプラスチック製のカバー６２の前端側をねじ４３にて取付けることにより、カバー６２の前端側を除く内面と面板５ａの外面との間に、糸通し溝６３を設けて構成されている。カバー６２と面板５ａとの間には、糸通し溝５３に連続する前端側に位置して糸切断部材３７の刃部３７ａが後ろ向きに設けられている。
【００６４】
このとき、カバー６２の内面の中間部には、縦方向に延びる２個の突条部６２ａが前後（図では左右）に間隔をおいて一体に形成されている。これと共に、面板５ａの外面には、前記２個の突条部６２ａと互い違いになるように、２個の凸部６４が形成されている。これにて、糸通し溝６３は、２個の突条部６２ａ及び２個の凸部６４によって、その溝幅が狭められ、上糸Ｔを屈曲させながら通過させるジグザグ状の溝として形成されているのである。
【００６５】
これにて、糸通しの準備操作において、ユーザが上糸Ｔを糸保持部２７を通した上で、図１０（ａ）に示すように、上糸Ｔの先端部を、通過抵抗付与機構６１（カバー６２）の後方上部まで持っていき、その後、糸通し溝６３に上糸Ｔを差し込みながら前方（矢印Ｄ方向）に移動させることにより、上糸Ｔが２個の突条部６２ａ及び２個の凸部６４に順に接触して屈曲させられながら通過するようになり、上糸Ｔに所定の抵抗（テンション）が付与される。この抵抗が付与されることによって、上糸Ｔに、糸保持部２７のガイド板３４と糸保持皿３５との間に入り込んでいく力が作用するようになる。
【００６６】
従って、この第３の実施形態によれば、上記第１の実施形態等と同様に、糸通し装置１１を備えたものにあって、面板５ａに通過抵抗付与機構６１を設けたので、ユーザが糸掛け経路に沿って上糸Ｔの糸掛け作業を行う準備操作において、上糸Ｔを糸保持部２７に確実に保持させることができ、しかも、そのための構成を比較的簡単にすることができるという優れた効果を得ることができる。
【００６７】
また、本実施形態においても、通過抵抗付与機構６１を糸切断部材３７の近傍に一体的に（一つのユニットとして）配置するようにしたので、通過抵抗付与機構６１及び糸切断部材３７を面板５ａにコンパクトに配置することができる。これと共に、上糸Ｔを通過抵抗付与機構６１の糸通し溝６３を通過させて抵抗を付与する動作と、上糸Ｔを切断させる動作とを、一連の動作で行うことができ、ユーザにとって操作しやすいものとなる。さらに、通過抵抗付与機構６１の部品点数をより少なくすることができる。
【００６８】
尚、本発明は上記した各実施形態に限定されるものではなく、様々な拡張、変更が可能である。例えば、上記各実施形態では、通過抵抗付与機構を横向き（前後方向）に設けるようにしたが、縦向き（上下方向）に設けるようにしても良い。この場合、糸通し溝を上下方向に延びるように設け、その中間に抵抗を付与する部分を設け、下端部に上向きの糸切断部材を設け、糸保持部を通した上糸を、糸通し溝に対し後方上部から手前側下方に向けて差込み、抵抗付与部分を通過させ、糸切断部材にて切断するように構成することができる。要するに、通過抵抗付与手段としては、糸保持部を通した後の上糸を、一旦、後方にもって行きその後Ｕターンさせるようにし、その際に抵抗を付与するような構成とすれば良く、様々な構成を採用することが可能である。
【００６９】
また、第３の実施形態において、２個の突条部６２ａと２個の凸部６４の夫々の高さや配置の間隔を適宜変更することで、上糸Ｔに付与する通過抵抗を簡単に変更することができる。
また、２個の突条部６２ａの先端部が、面板５ａとほぼ接するようにしてもよい。この場合、プラスチック製のカバー６２自体の可撓性を利用して、上糸Ｔが通過する際に通過抵抗を付与することができる。
【００７０】
また、上記各実施形態では、糸保持部２７（糸保持皿３５）の上糸の挟持面を水平状に配置するようにしたが、例えば左側を上にするようにやや傾けた構成としても良い。その他、通過抵抗付与手段と糸切断部材とを別の（離れた）位置に設けるようにしても良く、さらには、糸通し機構１１の具体的な構成についても種々の変更が可能であり、例えばモータ等を駆動源として電動で糸通し軸を上下動させる構成としても良いなど、本発明は要旨を逸脱しない範囲内で適宜変更して実施し得るものである。
【図面の簡単な説明】
【００７１】
【図１】本発明の実施形態に係るミシンの正面図
【図２】ミシン頭部の内部構成を示す縦断正面図
【図３】糸通し時の糸通しフックの動作を説明するための拡大斜視図
【図４】糸保持部の構成を示す縦断左側面図（図５のIV−IV線に沿う断面図）
【図５】糸通し機構部部分の正面図
【図６】ミシン頭部の左側面図（ａ）及び通過抵抗付与機構部分の底面図（ｂ）
【図７】通過抵抗付与機構部分の横断底面図（図６のVII−VII線に沿う断面図）
【図８】本発明の第２の実施形態を示す図６相当図
【図９】図７相当図（図８のIX−IX線に沿う断面図）
【図１０】本発明の第３の実施形態を示す図６相当図
【図１１】図７相当図（図１０のXI−XI線に沿う断面図）
【符号の説明】
【００７２】
１  ミシン本体
５  ミシン頭部
５ａ  面板
６  針棒
７  縫針
７ａ  目孔
１１  糸通し装置
２１  針棒糸案内
２４  糸通し機構部
２５  糸通しフック
２６  糸案内部材
２７  糸保持部
３４  ガイド板
３５  糸保持皿
３７  糸切断部材
３８  通過抵抗付与機構（通過抵抗付与手段）
３９  カバー
３９ａ  凸部（固定部材）
４０  テンション皿（可動部材）
４１  コイルばね（付勢部材）
４２  糸通し溝
５１  通過抵抗付与機構（通過抵抗付与手段）
５２  カバー
５２ａ  凸部（固定部材）
５３  板ばね（弾性部材）
５４  糸通し溝
６１  通過抵抗付与機構（通過抵抗付与手段）
６２  カバー
６２ａ  突条部
６３  糸通し溝
６４  凸部
【図１】
2010124938.tif 000003
【図２】
2010124938.tif 000004
【図３】
2010124938.tif 000005
【図４】
2010124938.tif 000006
【図５】
2010124938.tif 000007
【図６】
2010124938.tif 000008
【図７】
2010124938.tif 000009
【図８】
2010124938.tif 000010
【図９】
2010124938.tif 000011
【図１０】
2010124938.tif 000012
【図１１】
2010124938.tif 000013